【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
撮像光学系により結像された被写体像を光電変換する撮像素子と、
前記撮像光学系の焦点距離を制御する焦点距離制御手段とを備える撮像装置において、
前記撮像素子に結像される被写体像と前記撮像素子とを相対的に移動させるための移動手段と、
予め定められた図形の軌跡に従って、前記移動手段を制御して前記撮像素子に結像される被写体像と前記撮像素子とを相対的に移動させる駆動制御手段と、
前記被写体像に含まれる輝点が前記予め定められた図形の軌跡を描くように、前記焦点距離制御手段による前記焦点距離の制御の態様及び前記駆動制御手段による前記移動手段の制御の態様を規定するテーブルを格納する格納手段を備え、
前記焦点距離制御手段による前記焦点距離の制御及び前記駆動制御手段による前記移動手段の制御は、前記撮像素子の露光期間に前記テーブルに基づいて行われることを特徴とする撮像装置。
【請求項２】
前記駆動制御手段は、
手振れを検出する手振れ検出手段と、
前記手振れ検出手段の出力に基づいて、前記手振れを打ち消すための前記移動手段による移動目標量を第１の移動目標量として算出する第１の算出手段と、
前記テーブルに規定された前記移動手段の制御の態様に基づいて定められる前記移動手段による移動目標量を第２の移動目標量として算出する第２の算出手段とを備え、
前記第１の移動目標量を前記第２の移動目標量に加算したものに基づいて前記移動手段を制御することを特徴とする請求項１に記載の撮像装置。
【請求項３】
前記テーブルは、さらに発光装置の発光タイミングを規定することを特徴とする請求項１又は２に記載の撮像装置。
【請求項４】
前記撮像装置の姿勢を検知する姿勢検知手段と、
前記姿勢検知手段によって検知された前記撮像装置の姿勢に応じて、前記テーブルの内容又は前記テーブルの処理順序を変更する変更手段とを備えることを特徴とする請求項１乃至３のいずれか１項に記載の撮像装置。
【請求項５】
撮像光学系により結像された被写体像を光電変換する撮像素子と、前記撮像光学系の焦点距離を制御する焦点距離制御手段と、前記撮像素子に結像される被写体像と前記撮像素子とを相対的に移動させるための移動手段と、予め定められた図形の軌跡に従って、前記移動手段を制御して前記撮像素子に結像される被写体像と前記撮像素子とを相対的に移動させる駆動制御手段と、前記被写体像に含まれる輝点が前記予め定められた図形の軌跡を描くように、前記焦点距離制御手段による前記焦点距離の制御の態様及び前記駆動制御手段による前記移動手段の制御の態様を規定するテーブルを格納する格納手段を備える撮像装置の制御方法であって、
前記撮像素子の露光期間に、前記格納手段から前記テーブルを読み出す読み出し工程と、
前記撮像素子の露光期間に、前記読み出し工程により読み出されたテーブルに基づいて、前記焦点距離制御手段による前記焦点距離の制御及び前記駆動制御手段による前記移動手段の制御を行う制御工程とを有することを特徴とする撮像装置の制御方法。
【請求項６】
請求項５に記載の撮像装置の制御方法をコンピュータに実行させることを特徴とするプログラム。
【手続補正２】
【補正対象書類名】明細書
【補正対象項目名】０００８
【補正方法】変更
【補正の内容】
【０００８】
上記目的を達成するために、請求項１記載の撮像装置は、撮像光学系により結像された被写体像を光電変換する撮像素子と、前記撮像光学系の焦点距離を制御する焦点距離制御手段とを備える撮像装置において、前記撮像素子に結像される被写体像と前記撮像素子とを相対的に移動させるための移動手段と、予め定められた図形の軌跡に従って、前記移動手段を制御して前記撮像素子に結像される被写体像と前記撮像素子とを相対的に移動させる駆動制御手段と、前記被写体像に含まれる輝点が前記予め定められた図形の軌跡を描くように、前記焦点距離制御手段による前記焦点距離の制御の態様及び前記駆動制御手段による前記移動手段の制御の態様を規定するテーブルを格納する格納手段を備え、前記焦点距離制御手段による前記焦点距離の制御及び前記駆動制御手段による前記移動手段の制御は、前記撮像素子の露光期間に前記テーブルに基づいて行われることを特徴とする。
【手続補正３】
【補正対象書類名】明細書
【補正対象項目名】０００９
【補正方法】変更
【補正の内容】
【０００９】
上記目的を達成するために、請求項５記載の撮像装置の制御方法は、撮像光学系により結像された被写体像を光電変換する撮像素子と、前記撮像光学系の焦点距離を制御する焦点距離制御手段と、前記撮像素子に結像される被写体像と前記撮像素子とを相対的に移動させるための移動手段と、予め定められた図形の軌跡に従って、前記移動手段を制御して前記撮像素子に結像される被写体像と前記撮像素子とを相対的に移動させる駆動制御手段と、前記被写体像に含まれる輝点が前記予め定められた図形の軌跡を描くように、前記焦点距離制御手段による前記焦点距離の制御の態様及び前記駆動制御手段による前記移動手段の制御の態様を規定するテーブルを格納する格納手段を備える撮像装置の制御方法であって、前記撮像素子の露光期間に、前記格納手段から前記テーブルを読み出す読み出し工程と、前記撮像素子の露光期間に、前記読み出し工程により読み出されたテーブルに基づいて、前記焦点距離制御手段による前記焦点距離の制御及び前記駆動制御手段による前記移動手段の制御を行う制御工程とを有することを特徴とする。
【手続補正４】
【補正対象書類名】明細書
【補正対象項目名】００１１
【補正方法】変更
【補正の内容】
【００１１】
本発明によれば、被写体像に含まれる輝点で、バリエーションに富んだ図形を描画することが可能となる。
【手続補正５】
【補正対象書類名】明細書
【補正対象項目名】００１９
【補正方法】変更
【補正の内容】
【００１９】
４１はシャッタ１２や絞りユニット１３を制御する露光制御部であり、ストロボ制御部８を介して制御されるストロボ９と連携することにより、ストロボ撮影にも対応する。４２は焦点調節レンズ１１ｂを制御するフォーカス制御部であり、４３はズームレンズ１１ａによってズーミングを制御するズーム制御部であり、４４はレンズの前面に配置される保護部材であるバリア２の動作を制御するバリア制御部である。
【手続補正６】
【補正対象書類名】明細書
【補正対象項目名】０１８１
【補正方法】変更
【補正の内容】
【０１８１】
本処理では、操作スイッチ５でユーザが指定した特殊軌跡用の描画図形に応じて、駆動制御部３１が不揮発性メモリ４６に格納されている軌跡データを参照する。通常軌跡モードにおける軌跡データと特殊軌跡モードにおける軌跡データは、そのデータ構造に違いがあるので、以後特殊軌跡モードにおける軌跡データを特に制御テーブルという。制御テーブルは、補正レンズユニット１１ｃ、ズームレンズ１１ａ、及びストロボ９の動作タイミングを規定するタイミングテーブルと、補正レンズユニット１１ｃの駆動パターンを規定するパターンテーブル及びズームレンズ１１ａの駆動パターンを規定するパターンテーブルとを含む。この制御テーブルは、タイミングテーブル及びパターンテーブルの少なくとも一方を有してもよい。即ち、制御テーブルは、タイミングテーブル及びパターンテーブルの双方を有してもよく、タイミングテーブルのみを有してもよく、パターンテーブルのみを有してもよい。どのようにタイミングテーブルとパターンテーブルを持つかは、予め設定される描画図形に拠るものであり、撮像装置１は、図３で説明した図形選択と同様に、予め特殊軌跡用の描画図形として複数の図形を、ユーザが選択できるように用意している。
【手続補正７】
【補正対象書類名】明細書
【補正対象項目名】０１９９
【補正方法】変更
【補正の内容】
【０１９９】
上記によれば、制御テーブルは、補正レンズユニット１１ｃ、ズームレンズ１１ａ、及びストロボ９の制御タイミングを示したタイミングテーブルと、補正レンズユニット１１ｃの駆動パターンを示したパターンテーブル及びズームレンズ１１ａの駆動パターンを規定するパターンテーブルを備える。そして、当該制御テーブルに基づいて、補正レンズユニット１１ｃ、ズームレンズ１１ａ、及びストロボ９を駆動制御する。これにより、予め設定される選択可能な描画図形のバリエーションを増やすことができ、被写体像に含まれる輝点で、例えばうず巻き模様で放射状を含むような様々な図形を描画することができる。